(57)【特許請求の範囲】
【請求項１】
略矩形状のパネル本体の対向する二辺をなす前後両端面の間に、前後方向と平行な二本の小根太が前後に並べて且つ前後に間隔を空けて埋め込まれ、前記パネル本体に熱媒用配管が埋め込まれ、この熱媒用配管が前記両小根太の間に通される床暖房パネルであって、
前記パネル本体の上に前後方向に並べて設けられる各床板材の前後幅をｂ、前記パネル本体の前後長さをＬとしたとき、
Ｌ＝Ｎ×ｂ
（Ｎは２以上の整数）
の関係を有し、
前記両小根太のうち、前側に配置される小根太を第一小根太とすると共に後側に配置される小根太を第二小根太とし、前記パネル本体の前端面から前記第一小根太の前端面までの距離をｌ１、前記パネル本体の後端面から前記第二小根太の後端面までの距離をｌ２としたとき、
ｌ１＋ｌ２＜ｂ
の関係を有し、
前記第一小根太の後端面から前記第二小根太の後端面までの距離をｌ３としたとき、
ｌ３＝ｂ
の関係を有することを特徴とする床暖房パネル。
【請求項２】
前記第一小根太及び前記第二小根太の組が左右に複数設けられ、各組の前記第一小根太の前後長さを同じ寸法にすると共に、各組の前記第二小根太の前後長さを同じ寸法とし、前記複数組の前記第一小根太同士及び前記第二小根太同士が前後方向において同じ位置に設けられることを特徴とする請求項１に記載の床暖房パネル。
【発明の詳細な説明】
【技術分野】
【０００１】
本発明は、熱媒用配管が埋め込まれた床暖房パネルに関する。
【背景技術】
【０００２】
特許文献１には、パネル本体に熱媒を通すパイプを設けた床暖房パネルが開示されている。
【先行技術文献】
【特許文献】
【０００３】
【特許文献１】特開昭６２−２２３５３１号公報
【発明の概要】
【発明が解決しようとする課題】
【０００４】
床暖房パネルには、パネル本体に小根太を埋め込んだものがある。この床暖房パネルは、例えば床下地上に並べて設けられ、これら複数の床暖房パネル上には小根太と直交する床板材が多数並べて設けられる。各床板材は、釘を床板材の幅方向の端部に貫通させて前記床暖房パネルが備えた小根太に打ち込むことにより固定される。
【０００５】
ところで、前記小根太を備えた床暖房パネルにおいて、連続した熱媒用配管をパネル本体における小根太の両側方に跨って設けるには、二本の小根太をその長手方向に間隔を空けて設け、両小根太の間に熱媒用配管を通すようにすればパネル本体の厚みを小さくできて有効である。
【０００６】
しかし、このように両小根太を離間して設けると、前記床板材の幅方向の端部がパネル本体における両小根太の間の部分の上方に配置される可能性がある。この場合、前記床板材を固定するための釘をパネル本体における両小根太の間の部分に打ち込んで熱媒用配管を傷付けたり、また、床板材を床暖房パネルに固定できないといった不具合が生じることが懸念される。
【０００７】
本発明は上記事情に鑑みてなされたものであって、床板材を固定するための釘を小根太と小根太の間の部分に打ち込んで熱媒用配管を傷付けたり、床板材を床暖房パネルに固定できないといった不具合を生じ難くすることを課題とする。
【課題を解決するための手段】
【０００８】
上記課題を解決するために本発明の床暖房パネルは、略矩形状のパネル本体の対向する二辺をなす前後両端面の間に、前後方向と平行な二本の小根太が前後に並べて且つ前後に間隔を空けて埋め込まれ、前記パネル本体に熱媒用配管が埋め込まれ、この熱媒用配管が前記両小根太の間に通される床暖房パネルであって、前記パネル本体の上に前後方向に並べて設けられる各床板材の前後幅をｂ、前記パネル本体の前後長さをＬとしたとき、Ｌ＝Ｎ×ｂ（Ｎは２以上の整数）の関係を有し、前記両小根太のうち、前側に配置される小根太を第一小根太とすると共に後側に配置される小根太を第二小根太とし、前記パネル本体の前端面から前記第一小根太の前端面までの距離をｌ１、前記パネル本体の後端面から前記第二小根太の後端面までの距離をｌ２としたとき、ｌ１＋ｌ２＜ｂの関係を有し、前記第一小根太の後端面から前記第二小根太の後端面までの距離をｌ３としたとき、ｌ３＝ｂの関係を有することを特徴とする。
【０００９】
また、前記第一小根太及び前記第二小根太の組が左右に複数設けられ、各組の前記第一小根太の前後長さを同じ寸法にすると共に、各組の前記第二小根太の前後長さを同じ寸法とし、前記複数組の前記第一小根太同士及び前記第二小根太同士が前後方向において同じ位置に設けられることが好ましい。
【発明の効果】
【００１０】
本発明にあっては、床板材を固定するための釘を小根太と小根太の間の部分に打ち込んで熱媒用配管を傷付けたり、床板材を床暖房パネルに固定できないといった不具合を生じ難くすることができる。
【図面の簡単な説明】
【００１１】
【図１】本実施形態の施工状態における床暖房パネルと床板材の位置関係を示す平面図である。
【図２】均熱シート、熱媒用配管、及び保持部材の図示を省略した第一床暖房パネルの平面図である。
【図３】均熱シート、熱媒用配管、及び保持部材の図示を省略した第二床暖房パネルの平面図である。
【図４】均熱シート、熱媒用配管、及び保持部材の図示を省略した第三床暖房パネルの平面図である。
【図５】（ａ）は図２のＡ−Ａ断面図であり、（ｂ）は図２のＢ−Ｂ断面図である。
【図６】床暖房パネル上に配置した床板材を釘で固着する様子を示した斜視図である。
【発明を実施するための形態】
【００１２】
以下、本発明を添付図面に基づいて説明する。本実施形態の床暖房パネル１は、床下地又は既設の床の上に複数並べて設けられ、これら複数の床暖房パネル１と、これら複数の床暖房パネル１に熱媒を循環させる図示しない熱源機とで床暖房装置が構成される。前記複数並べて設けられた床暖房パネル１上には、床板材２が多数並べて設けられ、これにより床暖房機能を備えた床が形成される。
【００１３】
床暖房パネル１としては、例えば図２に示す第一床暖房パネル３、図３に示す第二床暖房パネル４、図４に示す第三床暖房パネル５等の複数種類の床暖房パネル１があり、床暖房装置には、床暖房部分の大きさや形状を考慮して選択された任意の床暖房パネル１が任意の枚数用いられる。
【００１４】
第一床暖房パネル３、第二床暖房パネル４、及び第三床暖房パネル５は基本的な構成要素が同じである。このため、以下では、共通する構成については、第一床暖房パネル３、第二床暖房パネル４、及び第三床暖房パネル５の夫々を床暖房パネル１と記載して説明する。
【００１５】
各床暖房パネル１は、図２乃至図４に示すように、パネル本体６と、パネル本体６に埋め込まれた状態で設けられる小根太７と、同じくパネル本体６に埋め込まれた状態で設けられる熱媒用配管８（図５参照）を備えている。
【００１６】
パネル本体６の断面図を図５に示す。パネル本体６は、略矩形板状の基材９と、基材９の上面に貼り付けられた均熱シート１７で構成されている。なお、図２乃至図４では、均熱シート１７の図示を省略している。以下、基材９の長手方向となる図１乃至図４における紙面前後方向を前後方向と定義して説明する。
【００１７】
基材９は断熱性を有する発泡合成樹脂で形成されている。図３に示す第二床暖房パネル４の基材９は、図２に示す第一床暖房パネル３の基材９と同じ幅で且つ同じ長さとなるように形成されている。対して、図４に示す第三床暖房パネル５の基材９は、第一床暖房パネル３の基材９と同じ長さではあるが、第一床暖房パネル３の基材９よりも幅が狭くなるように形成されている。
【００１８】
図２及び図４に示すように、第一床暖房パネル３及び第三床暖房パネル５の夫々の基材９の角部には、図示しないヘッダーを配置するための切欠１５が形成されている。このヘッダーは、温水である熱媒を熱源機から熱媒用配管８に供給すると共に熱媒用配管８の熱媒を熱源機に戻すものであり、熱媒用配管８の流入口及び流出口に接続される。なお、図３に示す第二床暖房パネル４に設けられる熱媒用配管８は、隣接する他の床暖房パネル１に設けられた熱媒用配管８と接続されることで、熱媒が循環される。
【００１９】
均熱シート１７は熱伝導性に優れたアルミ製であって、パネル本体６の上面の全体に亘って設けられ、熱媒用配管８の熱を床板材２に均等に伝える均熱層として機能する。
【００２０】
図２乃至図４に示すように、各床暖房パネル１のパネル本体６には、角柱状の小根太７を収納するための下方に開口する小根太収納溝１０が複数形成されており、各小根太収納溝１０は収納される小根太７と平面視略同形状同寸法である。各小根太収納溝１０は基材９を上下方向に貫通し、その底部は均熱シート１７で構成されている。すなわち、各小根太７の上方は均熱シート１７によって覆われる。なお、小根太収納溝１０は基材９を上下に貫通させず、基材９の上部を残して小根太収納溝１０を形成してもよい。また、各小根太７は対応する小根太収納溝１０に嵌め込まれ、パネル本体６に接着等されて固定される。
【００２１】
本実施形態では、略矩形状のパネル本体６の対向する二辺をなす前後両端面の間に、前後方向と平行な二本の小根太７が前後に並べて且つ前後に間隔を空けて設けられ、これら小根太７に対応する箇所に小根太収納溝１０が形成されている。
【００２２】
以下、特に区別する場合には、パネル本体６に設けられた小根太７のうち、前側に配置された小根太７を第一小根太１１と記載し、後側に配置された小根太７を第二小根太１２と記載する。
【００２３】
図２に示す第一床暖房パネル３及び図３に示す第二床暖房パネル４には、第一小根太１１とこの後側に配置される第二小根太１２の組が左右に２組設けられている。また、図４に示す第三床暖房パネル５には、前記第一小根太１１と第二小根太１２の組が幅方向の中心に１組だけ設けられている。
【００２４】
図２乃至図４に示す各床暖房パネル１において、第一小根太１１の長さは対応する第二小根太１２の長さよりも長くなっている。なお、各床暖房パネル１の第一小根太１１と第二小根太１２は長さが異なるだけで、その断面の形状及び寸法は同じである。
【００２５】
各床暖房パネル１の基材９の上面には、可撓性を有するパイプからなる熱媒用配管８（図５参照）を収納するための上方に開口する配管収納溝１６が形成されている。図５（ａ）に示すように、配管収納溝１６にはアルミ箔等で構成される保持部材１９が設けられている。保持部材１９は配管収納溝１６内に位置して上方に開口する溝部２０を有し、この溝部２０に熱媒用配管８が収納されて保持される。なお、図２乃至図４では、保持部材１９及び熱媒用配管８の図示を省略している。また、本実施形態では保持部材１９で熱媒用配管８を保持したが、保持部材１９を省略して収納溝１６で熱媒用配管８を保持しても構わない。
【００２６】
図２乃至図４に示すように、配管収納溝１６はパネル本体６の全体に行き渡るように小根太７が設けられた箇所を避けながら適当な箇所で屈曲・蛇行しており、熱媒用配管８は、この配管収納溝１６の略全長に亘って設けられる。
【００２７】
基材９において前後方向と平行な同一直線上に位置する第一小根太１１及び第二小根太１２を挟んだ両側には、配管収納溝１６の主部２１が形成されている。また、配管収納溝１６は、第一小根太１１とこの後側に位置する第二小根太１２の間や、第二小根太１２の後端面と基材９の後端面の間を横切る接続部２２を有しており、この接続部２２を介して隣り合う主部２１同士は接続されている。すなわち、熱媒用配管８は、接続部２２において、第一小根太１１とこの後側に位置する第二小根太１２の間や、第二小根太１２の後端面と基材９の後端面の間に通され、これによりパネル本体６の全体に亘って張り巡らされる。
【００２８】
床暖房パネル１は、前後の端面同士を突き合わせた状態で、前述した床下地又は既設の床の上に前後方向に複数並べて設けられる。そして、このように複数設けられた床暖房パネル１の上には、例えば図１に示すように床表面材を構成する同形状同寸法の床板材２が多数並べて設けられる。
【００２９】
各床板材２は平面視矩形状で長尺のフローリング床材であり、図１ではその長手方向を左右方向と平行にして前後方向に複数設けられている。図６に示すように、床板材２には、本実加工が施されており、一方の側端面には外側方に突出する凸部２３が形成されると共に、他方の側端面には凸部２３に嵌合する凹部２４が形成されている。
【００３０】
床板材２は凸部２３を凹部２４に嵌め込むことで隣接する床板材２に連結され、互いの側端面同士を突き合わせた状態で複数の床暖房パネル１の均熱シート１７上に多数並べて載置される。このように載置された各床板材２は、図６に示す釘２５を床板材２の幅方向の一端部に設けられた凸部２３に上方から貫通させ、この釘２５を下方の床暖房パネル１の小根太７に打ち込むことにより、床暖房パネル１に固着される。
【００３１】
前記複数の床暖房パネル１の熱媒用配管８は温水である熱媒が循環することで加熱され、この熱が均熱シート１７を介して床板材２に伝わることで床暖房がなされる。
【００３２】
ここで、各床暖房パネル１は、図１に示すように前後方向に複数並べて設けられたときに、前記床板材２を固定するための釘２５をパネル本体６における第一小根太１１と第二小根太１２の間に打ち込むことを防止するため、以下の設計がなされている。
【００３３】
第一に、図１に示すように、パネル本体６の上に前後方向に並べて設けられる各床板材２の前後幅をｂ、パネル本体６の前後長さをＬとしたとき、
Ｌ＝Ｎ×ｂ（Ｎは２以上の整数）
の関係を有するようにパネル本体６の長さが設定されている。
【００３４】
第二に、パネル本体６の前端面から第一小根太１１の前端面までの距離をｌ１、パネル本体６の後端面から第二小根太１２の後端面までの距離をｌ２としたとき、
ｌ１＋ｌ２＜ｂ
の関係を有するように、第一小根太１１及び第二小根太１２の位置が決定されている。なお、本実施形態の各床暖房パネル１は、第一小根太１１の前端面をパネル本体６の前端面と面一に揃えており、すなわち、ｌ１＝０であるが、ｌ１＞０であってもよい。また、ｌ２＝０であってもよい。
【００３５】
第三に、第一小根太１１の後端面から第二小根太１２の後端面までの距離をｌ３としたとき、
ｌ３＝ｂ
の関係を有するように、第一小根太１１及び第二小根太１２の位置が決定されている。
【００３６】
具体的に図１の例では、ｂ＝３０３ｍｍ、Ｌ＝１５１５ｍｍ、ｌ１＝０、ｌ２＜３０３ｍｍ、ｌ３＝３０３ｍｍに設定されている。
【００３７】
また、第一小根太１１及び第二小根太１２の組が左右に複数組設けられた、図２に示す第一床暖房パネル３及び第二床暖房パネル４は、各組の第一小根太１１の前後長さを同じ寸法にすると共に、各組の第二小根太１２の前後長さを同じ寸法にしている。さらに、各組の第一小根太１１同士及び第二小根太１２同士が前後方向において同じ位置に設けられている。
【００３８】
また、種類の異なる床暖房パネル１を前後に並べて設ける場合を考慮して、全ての床暖房パネル１の前後長さＬを同じ寸法としている。また、全ての床暖房パネル１の第一小根太１１の前後長さを同じ寸法にすると共に、全ての床暖房パネル１の第二小根太１２の前後長さを同じ寸法にしている。さらに、全ての床暖房パネル１の第一小根太１１及び第二小根太１２を前後方向において同じ位置に配置している。
【００３９】
上記のように本実施形態の床暖房パネル１は、Ｌ＝Ｎ×ｂ（Ｎは２以上の整数）、ｌ１＋ｌ２＜ｂ、及びｌ３＝ｂの関係を満たす。このため、床暖房パネル１を前後方向に並べて設け、これら複数の床暖房パネル１上に例えば以下のようにして床板材２を施工すると、釘２５をパネル本体６における第一小根太１１と第二小根太１２の間に打ち込むことを防止できる。
【００４０】
すなわち、図１における多数の床板材２を後側に位置する床板材２から順に設ける場合、まず最初に最も後方に位置する床板材２１を床暖房パネル１上に載置し、この床板材２１の前端部を前述したように釘２５を用いて第二小根太１２に固着する。なお、この際は釘２５を打ち込む箇所に第二小根太１２が存在することを確認する必要がある。次に２番目の床板材２２をその後端面が床板材２１の前端面に隣接するように床暖房パネル１上に載置し、この床板材２２の前端部を前述したように釘２５を用いて第一小根太１１に固着する。以後、同様にして、３番目以降の床板材２１を床暖房パネル１に設けていく。
【００４１】
このように床板材２を設けると、最初の床板材２１を固着するための釘２５が第二小根太１２に打ち込まれた場合、以後に設けられる床板材２を固着するための釘２５は、先に打ち込まれた釘２５と左右方向の位置を揃えるだけで小根太７に打ち込むことができる。殊に最初の床板材２１を固着した床暖房パネル１だけでなく、この前側に隣接して配置された床暖房パネル１においても、確実に釘２５を小根太７に打ち込むことができる。このため、床板材２を固定するための釘２５をパネル本体６における第一小根太１１と第二小根太１２の間の部分や、第一小根太１１と前側に隣接する床暖房パネル１の第二小根太１２の間の部分に打ち込んで熱媒用配管８を傷付けることを防止できる。また、床板材２を床暖房パネル１に固定できないといった不具合を生じ難くすることができる。
【００４２】
また、図２に示す第一床暖房パネル３及び図３に示す第二床暖房パネル４は、第一小根太１１及び第二小根太１２の組が左右に複数設けられている。このため、複数組の第一小根太１１及び第二小根太１２に釘２５を打ち込んで、床板材２をしっかりと床暖房パネル１に固定することができる。また、第一床暖房パネル３及び第二床暖房パネル４は、各組の第一小根太１１の前後長さを同じ寸法にすると共に、各組の第二小根太１２の前後長さを同じ寸法にしている。さらに、複数組の第一小根太１１同士及び第二小根太１２同士が前後方向において同じ位置に設けられている。このため、上記のように複数組の第一小根太１１及び第二小根太１２に釘２５を打ち込む場合にも、床板材２を固定するための釘２５がパネル本体６における第一小根太１１と第二小根太１２の間の部分に打ち込まれることを防止できる。
【００４３】
なお、本実施形態では、第一床暖房パネル３、第二床暖房パネル４、及び第三床暖房パネル５の３種類の床暖房パネル１を例示したが、床暖房パネル１にはこの他にも幅や、収納溝の形状、小根太７の本数や位置を適宜変更したものがある。一例を挙げると、第二床暖房パネル４と同様に熱媒用配管８が隣接する他の床暖房パネル１に設けられた熱媒用配管８と接続されることで熱媒が循環され、且つ第三床暖房パネル５と同様に第二床暖房パネル４の２／３の幅を有する床暖房パネルがある。この床暖房パネルは例えば図４に示す第三床暖房パネル５に隣接して設けられ、その熱媒用配管８を第三床暖房パネル５に設けられた熱媒用配管８に接続することで熱媒が循環される。なお、上記例示した床暖房パネル１以外の床暖房パネルも第一小根太１１及び第二小根太１２を有しており、これら床暖房パネルが小根太７以外の部分に釘２５が打ち込まれないよう前記床暖房パネル１と同様の設計がなされていることは言うまでもない。また、上記例示した床暖房パネル１には、第一小根太１１と第二小根太１２の組を１組又は２組設けたが、３組以上設けてもよい。また、熱媒は水に限定されるものではなく、その他の熱媒であってもよい。
【符号の説明】
【００４４】
ｂ  床板材の前後幅
ｌ１  パネル本体の前端面から第一小根太の前端面までの距離
ｌ２  パネル本体の後端面から第二小根太の後端面までの距離
ｌ３  第一小根太の後端面から前記第二小根太の後端面までの距離
Ｌ  パネル本体の前後長さ
６  パネル本体
７  小根太
８  熱媒用配管
１１  第一小根太
１２  第二小根太
【図１】
0005707557.tif 000002
【図２】
0005707557.tif 000003
【図３】
0005707557.tif 000004
【図４】
0005707557.tif 000005
【図５】
0005707557.tif 000006
【図６】
0005707557.tif 000007